(57)【特許請求の範囲】
【請求項１】
複数の駒体がそれぞれ他の駒体と側部が隣接した状態で連結する構成のバンドと、バンド長を調節するためバンドから駒体を取り外してバンド長を調節するためのアジャスト冶具とからなるバンドとアジャスト冶具のセットにおいて、
前記バンドが、前記駒体の連結方向の両側部にそれぞれ凸部と凹部が形成され、該凸部が隣接する駒体の凹部に挿入されて複数の駒体を連結してなり、かつ前記駒体に，前記隣接する駒体の凸部の一部に係脱可能に係止する連結ピンが設けられた移動部材及び前記連結ピンと前記凸部の一部との係止を維持させる方向に前記移動部材を付勢するスプリングが内設され、前記駒体の底面側に通孔が形成されている構成であり、
前記アジャスト冶具が、前記駒体の外部から前記通孔を通して該駒体の内部に一端部分が挿入される軸部と、該軸部の他端部に形成された摘み部とからなる構成であって、
前記アジャスト冶具の前記軸部を、前記通孔を通して押下することにより、前記軸部の一端部分によって前記スプリングの付勢力に抗して前記移動部材を移動させ、前記連結ピンと前記凸部の一部との係止を解除させることを特徴とするバンドとアジャスト冶具のセット。
【請求項２】
前記移動部材は、
前記駒に内設された一対の移動部材であり、
前記アジャスト冶具の前記軸部を、前記通孔を通して押下することにより、前記軸部の一端部分によって前記スプリングの付勢力に抗して前記一対の移動部材を同時に移動させ、前記連結ピンと前記凸部の一部との係止を解除させることを特徴とする請求項１に記載のバンドとアジャスト冶具のセット。
【請求項３】
前記通孔は、
前記一対の移動部材を付勢する前記スプリングが内設される軸と前記駒体の連結方向の中心軸との交点位置またはその近傍に形成され、
前記アジャスト治具は、
前記スプリングの付勢力に抗して前記一対の移動部材を同時に移動させ、前記連結ピンの係止を解除させることを特徴とする請求項２に記載のバンドとアジャスト冶具のセット。
【発明の詳細な説明】
【技術分野】
【０００１】
本発明は、駒体の両側部にそれぞれ凸部と凹部が形成され、該凸部が隣接する駒体の凹部に挿入されて連結されるバンドの駒外しを容易にするバンドとアジャスト冶具のセットに関するものである。
【背景技術】
【０００２】
駒体の両側部にそれぞれ凸部と凹部が形成され、該凸部が隣接する駒体の凹部に挿入されて連結されるバンドにおいて、バンドの長さを調節するために、通常、駒体の取り外しが行われる。その駒外しのためのアジャスト機構として、従来、種々の機構のものが提案され、実施されてきている。
【０００３】
一般的には、駒体を連結する連結ピンを、駒体の側方からねじ込む構造であったり、弾性を有する長軸を用いる構造を用いたりしていた。
【０００４】
ところが、ねじ構造や長軸構造の連結ピンでは、バンドの長さを調節する駒外し作業を行う際に、小さなドライバや細いピンセットなどの特殊な冶具を必要とし、さらに、その作業には引き抜き力が必要となる。このため、円滑に連結ピンを取り外せず、時として連結ピンを破損することがあった。
【０００５】
特に、近年、バンドなどの取扱いを熟知している専門員がいる店頭販売以外の通信販売などにより、バンド類を購入することが増加しており、一般購入者がバンドの長さを調節する駒外しなどの作業を行うことが多くなってきている。このため購入者によっては、円滑に連結ピンを取り外せず、時として連結ピンを破損させてしまうことがあった。
【０００６】
そこで、本件出願人は、一般使用者でも簡単に駒外しが行え、バンドの長さを容易に調節することができるようにした考案を出願して実用新案登録されている（特許文献１）。
【先行技術文献】
【特許文献】
【０００７】
【特許文献１】実用新案登録第３１５５９２５号公報
【発明の概要】
【発明が解決しようとする課題】
【０００８】
特許文献１に記載のアジャスト機構では、駒外し作業には小棒状の冶具が必要であり、その冶具を用いて駒体内部の解除部材を移動させる構成になっている。このため、駒外しを行おうとする使用者は、駒外し作業に適した冶具を探し、その冶具により駒体内部の解除部材を押しながら適当に移動させる作業を行う必要がある。
【０００９】
そこで本発明は、前記従来技術に比して、さらに簡単な構成で、簡単かつ容易に駒体が外せるようにしたバンドとアジャスト冶具のセットを提供することを目的とする。
【課題を解決するための手段】
【００１０】
本発明のバンドとアジャスト冶具のセットは、複数の駒体がそれぞれ他の駒体と側部が隣接した状態で連結する構成のバンドと、バンド長を調節するためバンドから駒体を取り外してバンド長を調節するためのアジャスト冶具とからなるバンドとアジャスト冶具のセットにおいて、前記バンドが、前記駒体の連結方向の両側部にそれぞれ凸部と凹部が形成され、該凸部が隣接する駒体の凹部に挿入されて複数の駒体を連結してなり、かつ前記駒体に，前記隣接する駒体の凸部の一部に係脱可能に係止する連結ピンが設けられた移動部材及び前記連結ピンと前記凸部の一部との係止を維持させる方向に前記移動部材を付勢するスプリングが内設され、前記駒体の底面側に通孔が形成されている構成であり、前記アジャスト冶具が、前記駒体の外部から前記通孔を通して該駒体の内部に一端部分が挿入される軸部と、該軸部の他端部に形成された摘み部とからなる構成であって、前記アジャスト冶具の前記軸部を、前記通孔を通して押下することにより、前記軸部の一端部分によって前記スプリングの付勢力に抗して前記移動部材を移動させ、前記連結ピンと前記凸部の一部との係止を解除させることを特徴とする。
【発明の効果】
【００１１】
本発明のバンドとアジャスト冶具のセットでは、当該バンドとセットになっているアジャスト冶具を用いて、該アジャスト冶具の軸部を、駒体の通孔を通して押下すると、アジャスト冶具の軸部の一端部分によって駒体内部の移動部材を移動させることができ、これにより、隣接する駒体を連結している連結ピンと凸部との係止が解除する。
【００１２】
このようにして、隣接する駒体同士の連結の解除を、バンドとセットになっているアジャスト冶具を用いることにより簡単に行うことができる。よって、一般使用者であっても、簡単な作業により駒外しを行うことができ、バンドの長さを容易に調整することが可能になる。
【００１３】
しかも、簡単な作業で駒外しができるアジャスト機構としては、比較的簡素化された構成であって、組立，製造コストにおいて有利であるなどの効果がある。
【図面の簡単な説明】
【００１４】
【図１】本発明に係るバンドとアジャスト冶具のセットの実施形態におけるバンドの全体斜視図である。
【図２】本実施形態におけるバンドの底面図である。
【図３】本実施形態におけるバンドの断面図である。
【図４】本実施形態におけるバンドの駒体の分解斜視図である。
【図５】本実施形態における組立後（冶具挿入前）の駒体内部を断面して示す斜視図である。
【図６】本実施形態におけるバンドの駒体とアジャスト冶具を示す斜視図である。
【図７】本実施形態におけるバンドの駒体とアジャスト冶具との駒外し時の状態を示す斜視図である。
【図８】本実施形態における冶具挿入時の駒体内部を断面して示す斜視図である。
【発明を実施するための形態】
【００１５】
以下に本発明の好適な実施形態を図面にて説明する。
【００１６】
図１，図２において、複数の駒体１の連結方向における側部が、他の駒体１と隣接した状態で連結されて長尺のバンドを形成している。各駒体１は、一方の側部が凸部形状１ａになっており、他方の側部が凹部形状１ｂになっている。そして、隣接する駒体１において、一方の駒体１の凸部形状１ａ部分が、他の駒体１の凹部形状１ｂ部分に挿入され、断面円形状の連結ピン２によって後述するように連結する構成になっている。
【００１７】
図１はバンドとしての外装表面側を示し、図２はバンドを構成する駒の裏面側（装着者の腕などの身体側）を示しており、図２において、駒体１の裏面側には、駒体１の取り外しを行う際にアジャスト冶具（後述する）が挿入され、駒外し作業を行うための通孔３が設けられている。
【００１８】
図３，図４において、バンドの駒体１は、駒体枠体４と、内部枠体５と、連結ピン２が設けられた一対の移動部材６と、一対のコイルスプリング７とからなる。
【００１９】
駒体枠体４は、板材を折り曲げて箱状体に形成されるものであって、駒表面部４ａと、通孔３が穿設された底面の裏面部４ｂと、前記凸部形状１ａ部分の側部４ｃと、前記凹部形状１ｂ部分の側部４ｄと、側部４ｃ，４ｄに対して直交する外側部４ｅの両面とを一体に折り曲げ形成している。
【００２０】
内部枠体５は、両側が解放されるように板材を折り曲げて箱状体に形成されたものであって、駒体枠体４の側部４ｃ（前記凸部形状１ａ部分）に対応する側に中空状の曲げ部５ａが形成され、かつ前記通孔３に対応する貫通孔５ｂが穿設された上側部５ｃが形成され、さらに駒体枠体４の側部４ｄ（前記凹部形状１ｂ部分）に対応する側に凹欠部５ｄが形成されている。
【００２１】
移動部材６は、内側端部に連結ピン２が突設され、かつ外側方に開口する横長溝６ａが形成された板状のものであって、一対の移動部材６が、横長溝６ａ内にコイルスプリング７が配され、かつ連結ピン２が対向するように内部枠体５の内部に配設される。
【００２２】
図３に示すように、内部枠体５の内部に配設された一対の移動部材６の内側部６ｂは、駒体枠体４の外側部４ｅに端部が弾接するコイルスプリング７により、互いに当接するように移動可能に付勢されている。また、移動部材６の各連結ピン２は、駒体１の凹部形状１ｂ部分（内部枠体５の凹欠部５ｄ）から突出して、隣接する駒体１内の凸部形状１ａ部分に配設されている内部枠体５の曲げ部５ａ内に入り込んでいる。
【００２３】
上記のようにして、隣接する駒体１における各連結ピン２が、隣の駒体１の凹部形状１ｂ部分における内部枠体５の曲げ部５ａに係止し、複数の駒体１が連結することになり、この連結状態がコイルスプリング７の付勢力によって維持されて長尺のバンドを形成している。
【００２４】
図５に示すように、組立後（冶具挿入前）の駒体内部では、一対の移動部材６の内側部６ｂがコイルスプリング７の付勢力を受けて互いに当接している。
【００２５】
この状態から駒外し作業を行うには、図６に示すように、当該バンドにセットとして備え付けられているアジャスト冶具８を用いる。アジャスト冶具８は、本例では、一端部が尖った軸部８ａと、軸部８ａの他端部に形成された平板状の摘み部８ｂとからなるものである。
【００２６】
アジャスト冶具８を使用するには、使用者はアジャスト冶具８の摘み部８ｂを持って、軸部８ａの先端部を、図７に示すように、駒体１底面の通孔３から駒体１内部へと押下／挿入する。図７の状態の駒体１を一部断面して示すと、図８に示すようになり、アジャスト冶具８の軸部８ａが一対の移動部材６の対向する内側部６ｂ間に入り込む。これにより移動部材６がコイルスプリング７の付勢力に抗して駒体１の外側方向へと移動する。
【００２７】
前記移動部材６の移動によって移動部材６の両連結ピン２が共に駒体１の外側方向へと移動し、隣接する駒体１の内部枠体５の曲げ部５ａから抜け出し、当該駒体１の連結ピン２と、隣接する駒体１の凸部形状１ａ部分（曲げ部５ａ）との係止が解除されることになる。これにより駒外しが行われる。
【００２８】
駒外し後には、使用者がアジャスト冶具８の摘み部８ｂを持って、新たに隣接する一方の駒体１の通孔３から内部へアジャスト冶具８の軸部８ａの先端部を押下／挿入する。この押下により前記と同様に、アジャスト冶具８の軸部８ａが一対の移動部材６の対向する内側部６ｂ間に入り込む。すると移動部材６がコイルスプリング７の付勢力に抗して駒体１の外側方向へと移動する。
【００２９】
この状態で、使用者が、新たに隣接する駒体１の凸部形状１ａ部分を他の駒体１の凹部形状１ｂ部分に入れる。その後、アジャスト冶具８を駒体１の通孔３から抜き取る。すると両移動部材６は、コイルスプリング７の付勢力を受けて駒体１の内側方向へと移動して内側部６ｂ同士が当接する位置で停止する。この駒連結作業によって、移動部材６の連結ピン２が隣接する駒体１の内部枠体５の曲げ部５ａ内に入り込む。
【００３０】
このようにして使用者がアジャスト冶具８を駒体１から抜き取った後には、再び図１〜図３に示す状態になり、駒体１の各連結ピン２が、隣接する凹部形状１ｂにおける内部枠体５の曲げ部５ａに入って係止し、複数の駒体１が連結する。そして、この連結状態がコイルスプリング７の付勢力によって維持される。
【００３１】
なお、駒体１，アジャスト冶具８の形状，材質などは、本実施形態にて説明したものに限定されず、また、各部の形状なども本実施形態のものに限定されない。
【産業上の利用可能性】
【００３２】
本発明のバンドセットは、駒体が連結されてなる構造のバンドのアジャスト機構に有効である。
【符号の説明】
【００３３】
１      駒体
１ａ    凸部形状
１ｂ    凹部形状
２      連結ピン
３      通孔
４      駒体枠体
５      内部枠体
６      移動部材
７      コイルスプリング
８      アジャスト冶具
８ａ    軸部
８ｂ    摘み部
【図１】
0005450730.tif 000002
【図２】
0005450730.tif 000003
【図３】
0005450730.tif 000004
【図４】
0005450730.tif 000005
【図５】
0005450730.tif 000006
【図６】
0005450730.tif 000007
【図７】
0005450730.tif 000008
【図８】
0005450730.tif 000009